(57)【特許請求の範囲】
【請求項１】
読取対象の原稿が載置されるプラテンガラスを備えた本体と、読取対象の原稿を前記プラテンガラスに押さえつけるプラテンブックカバーと、前記プラテンブックカバーを前記本体に対して開閉自在に連結するヒンジとを備える画像読取装置であって、
前記ヒンジの第１部材は、前記本体に形成された取付孔に挿着され、前記プラテンガラスの原稿が載置される面と平行な方向における位置が決められ、
前記ヒンジの、前記第１部材に対して回転可能な第２部材は、前記プラテンブックカバーに固定されており、
孔形状が四角形の前記取付孔が２つ設けられているとともに、
一の前記取付孔の４つの内側面の全てにリブが形成されており、他の前記取付孔の４つの内側面のうちの２つにリブが形成されている、
ことを特徴とする画像読取装置。
【請求項２】
前記取付孔の奥行き方向は、前記プラテンガラスの原稿が載置される面と垂直になっており、
前記第１部材は、前記取付孔の奥行き方向に摺動可能である、
ことを特徴とする請求項１に記載の画像読取装置。
【請求項３】
前記第１部材における前記本体との摺接部及び前記本体における前記第１部材との摺接部が樹脂で形成されていることを特徴とする請求項２に記載の画像読取装置。
【請求項４】
前記第１部材を奥行き方向のうち離脱させる方向へ所定位置まで摺動させた場合に前記取付孔の内側面に形成された当接部と当接する剛性の突出部が前記第１部材に設けられていることを特徴とする請求項１ないし請求項３のいずれかに記載の画像読取装置。
【請求項５】
前記当接部と前記突出部とが当接している状態で前記第１部材を所定方向に傾倒すると、前記当接部と前記突出部との干渉が解除されることを特徴とする請求項４に記載の画像読取装置。
【発明の詳細な説明】
【技術分野】
【０００１】
本発明は、読み取り対象の原稿をプラテンガラスに押さえつけるプラテンブックカバーを備える画像読取装置に関する。
【背景技術】
【０００２】
従来、読取対象の原稿をプラテンガラスに押さえつけるプラテンブックカバーを備える画像読取装置においては、プラテンブックカバーを画像読取装置の本体部に対して開閉自在とするために、プラテンブックカバーと本体部とは、主として板金部材で構成されるヒンジによって連結されていた。
【０００３】
なお、特許文献１は、プラテンブックカバーと本体部とを開閉自在に連結するヒンジに関する先行技術文献である。
【０００４】
【特許文献１】特開２００４−２７１７８１号公報
【発明の開示】
【発明が解決しようとする課題】
【０００５】
しかし、従来の技術では、板金部材の寸法ばらつきを吸収してプラテンブックカバーの位置が適切になるようにするための調整機構をヒンジに設ける必要があり、ヒンジの部品点数が増加しがちであった。また、従来の技術では、プラテンブックカバーを本体部に取り付ける場合、当該調整機構による位置調整作業が必要となり、画像読取装置の製造や保守に要する時間が長くなるという問題も生じていた。
【０００６】
本発明は、これらの問題を解決するためになされたもので、読取対象の原稿をプラテンガラスに押さえつけるプラテンブックカバーを備える画像読取装置において、プラテンブックカバーと本体部とを連結するヒンジの部品点数を削減するとともに、プラテンブックカバーの取り付け及び取り外しを容易にし、画像読取装置の製造や保守に要する時間を短縮することを目的とする。
【課題を解決するための手段】
【０００７】
上記課題を解決するため、請求項１の発明は、読取対象の原稿が載置されるプラテンガラスを備えた本体と、読取対象の原稿を前記プラテンガラスに押さえつけるプラテンブックカバーと、前記プラテンブックカバーを前記本体に対して開閉自在に連結するヒンジとを備える画像読取装置であって、前記ヒンジの第１部材は、前記本体に形成された取付孔に挿着され、前記プラテンガラスの原稿が載置される面と平行な方向における位置が決められ、前記ヒンジの、前記第１部材に対して回転可能な第２部材は、前記プラテンブックカバーに固定されている。また、孔形状が四角形の前記取付孔が２つ設けられているとともに、一の前記取付孔の４つの内側面の全てにリブが形成されており、他の前記取付孔の４つの内側面のうちの２つにリブが形成されている。
【０００８】
請求項２の発明は、請求項１に記載の画像読取装置において、前記取付孔の奥行き方向は、前記プラテンガラスの原稿が載置される面と垂直になっており、前記第１部材は、前記取付孔の奥行き方向に摺動可能である。
【０００９】
請求項３の発明は、請求項２に記載の画像読取装置において、前記第１部材における前記本体との摺接部及び前記本体における前記第１部材との摺接部が樹脂で形成されている。
【００１０】
請求項４の発明は、請求項１ないし請求項３のいずれかに記載の画像読取装置において、前記第１部材を奥行き方向のうち離脱させる方向へ所定位置まで摺動させた場合に前記取付孔の内側面に形成された当接部と当接する剛性の突出部が前記第１部材に設けられている。
【００１１】
請求項５の発明は、請求項４に記載の画像読取装置において、前記当接部と前記突出部とが当接している状態で前記第１部材を所定方向に傾倒すると、前記当接部と前記突出部との干渉が解除される。
【発明の効果】
【００１３】
請求項１ないし請求項５の発明によれば、ヒンジの部品点数を削減することができるとともに、プラテンブックカバーの取り付け及び取り外しが容易になり、画像読取装置の製造や保守に要する時間を短縮することができる。
【００１４】
請求項２の発明によれば、複雑なリフト機構を採用することなく、プラテンブックカバーをリフトアップすることができる。
【００１５】
請求項３の発明によれば、プラテンブックカバーをリフトアップする場合に発生する異音を抑制することができるとともに、摺接面への注油等の保守の必要性を低下させることができる。
【００１６】
請求項４の発明によれば、プラテンブックカバーをリフトアップした場合にプラテンブックカバーが取付孔から離脱することがない。
【００１７】
請求項５の発明によれば、プラテンブックカバーを本体から容易に取り外すことができる。
【発明を実施するための最良の形態】
【００１８】
＜１  デジタル複合機の構成＞
図１及び図２は、本発明の望ましい実施形態に係るデジタル複合機１の本体１０の概略外観構成を示す図であり、図１は斜視図、図２は平面図となっている。なお、図１及び図２は、図３の斜視図に示されるプラテンブックカバー２０を本体１０から取り外した状態を図示している。なお、図１〜図３には、便宜上、左右方向をＸ軸方向、前後方向をＹ軸方向、上下方向をＺ軸方向とするＸＹＺ直交座標系が定義されている。
【００１９】
デジタル複合機１は、スキャナ機能、プリンタ機能、コピー機能及びファックス機能を有し、原稿に描かれた画像を読み取る画像読取装置として機能する。デジタル複合機１の本体１０の上部には、画像読取部１１及び操作パネル１２が設けられており、デジタル複合機１の本体１０の下部には、不図示の画像形成部が設けられている。
【００２０】
画像読取部１１は、本体１０の上面に露出しているプラテンガラス１１１に載置された原稿に描かれた画像を読み取り、当該画像に係る画像データを生成するフラットベッド方式の画像読取部として機能する。加えて、画像読取部１１は、プラテンブックカバー２０に組み込まれた自動原稿送り装置によってプラテンガラス１１２へ給送された原稿に描かれた画像を読み取り、当該画像に係る画像データを生成するオートドキュメントフィード方式の画像読取部としても機能する。
【００２１】
操作パネル１２は、デジタル複合機１の操作の他、デジタル複合機１の動作状態や設定の確認に用いられる。
【００２２】
画像読取部１１の下方に設けられる不図示の画像形成部は、電子写真方式により、画像データに係る画像を記録紙等の記録媒体の上に形成する。より具体的には、画像形成部は、感光ドラムの表面に形成した静電潜像をトナーで現像し、感光ドラムから記録媒体の上にトナーを転写することにより、画像データに係る画像を記録媒体の上に形成する。
【００２３】
プラテンブックカバー２０は、プラテンガラス１１１に載置された原稿をプラテンガラス１１１に押さえつけるために設けられ、ヒンジ３１及び３２を用いて本体１０に対して開閉自在に連結されている。このプラテンブックカバー２０は、「プラテンカバー」「原稿押さえカバー」又は「原稿カバー」等とも呼ばれる。
【００２４】
＜２  プラテンブックカバーと本体との連結＞
続いて、ヒンジ３１及び３２を用いた本体１０とプラテンブックカバー２０との連結について説明する。図４に示すように、ヒンジ３１は、本体１０の上面に形成された四角形の孔形状を有する取付孔５１に挿着される軸方向断面形状が四角形の本体側部材３１１と、本体側部材３１１に対して回転軸ＲＸ１を中心として回転可能であり、プラテンブックカバー２０にネジ固定されるカバー側部材３１２とを備えている。同様に、ヒンジ３２は、本体１０の上面に形成された四角形の孔形状を有する取付孔５２に挿着される軸方向断面形状が四角形の本体側部材３１２と、本体側部材３１２に対して回転軸ＲＸ２を中心として回転可能であり、プラテンブックカバー２０にネジ固定されるカバー側部材３２２とを備えている。
【００２５】
図２に示すように、奥行き方向（±Ｚ方向）がプラテンガラス１１１の原稿が載置される面と垂直になっている取付孔５１の＋Ｘ方向、−Ｘ方向、＋Ｙ方向及び−Ｙ方向の内側面には、それぞれ、±Ｚ方向に伸びるリブ５１１、５１２、５１３及び５１４が形成されている。また、奥行き方向がプラテンガラス１１１の原稿が載置される面と垂直になっている取付孔５２の＋Ｙ方向及び−Ｙ方向の内側面には、それぞれ、±Ｚ方向に伸びるリブ５２１及び５２２が形成されている。
【００２６】
リブ５１１及び５１２の間隔ＡＸ及びリブ５１３及び５１４の間隔ＡＹは、それぞれ、取付孔５１に挿着されるヒンジ３１の本体側部材３１１の±Ｘ方向及び±Ｙ方向の幅ＢＸ及びＢＹと略一致している。また、リブ５２１及び５２２の間隔ＣＹは、取付孔５２に挿着されるヒンジ３２の本体側部材３２１の±Ｙ方向の幅ＤＹと略一致している。
【００２７】
したがって、リブ５１１〜５１４及び５２１〜５２２により、デジタル複合機１では、ヒンジ３１及び３２の本体側部材３１１及び３２１を、それぞれ、取付孔５１及び５２に挿着するだけで、位置調整作業を行うことなく、プラテンガラス１１１の原稿が載置される面と平行な方向（ＸＹ平面と平行な方向）における本体側部材３１１及び３２１の位置は正確に決められる。なお、２つの取付孔５１及び５２のうち、取付孔５１は、プラテンブックカバー２０の位置決めの役割を果たしており、取付孔５２は、プラテンブックカバー２０の傾き規制の役割を果たしている。
【００２８】
取付孔５１及び５２の内側面並びに本体側部材３１１及び３１２の摺接面のうち少なくとも２面、例えば、Ｙ方向と垂直な方向の２面はポリアセタール（ポリオキシメチレン）樹脂等の摺動性が良好な樹脂で形成されており、本体側部材３１１及び３１２は、取付孔５１及び５２の奥行き方向に摺動可能となっている。本体側部材３１１及び３１２の摺接面のうち少なくとも２面、例えば、Ｙ方向と垂直な方向の２面は平坦面である。すなわち、デジタル複合機１では、本体側部材３１１及び３１２における本体１０との摺接部及び本体１０における本体側部材３１１及び３１２との摺接部を樹脂で形成することにより、本体側部材３１１及び３１２を本体１０に対して摺動可能とし、厚物原稿をプラテンガラス１１１へ押さえつける場合のプラテンブックカバー２０のリフトアップを実現している。このような方法によるプラテンブックカバー２０のリフトアップには、複雑なリフト機構を採用する必要がないという利点に加え、プラテンブックカバー２０をリフトアップする場合に発生する異音を抑制することができ、摺接面への注油等の保守の必要性を低下させることができるという利点もある。
【００２９】
本体側部材３１１及び３１２の下端近傍には、それぞれ、剛性の突出部Ｐ１及びＰ２が一体的に形成されている。突出部Ｐ１及びＰ２は、それぞれ、本体側部材３１１及び３１２を取付孔５１及び５２から離脱させる方向（＋Ｚ方向）へ最上部まで摺動させた場合に、取付孔５１及び５２の内側面に形成された当接部５１８及び５２８と当接することにより、プラテンブックカバー２０が予期せずはずれてしまうことを防止している。なお、突出部Ｐ１及びＰ２は、本体側部材３１１及び３１２の下端近傍に形成されているので、突出部Ｐ１及びＰ２と当接部５１８及び５２８とが当接している状態で本体側部材３１１及び３１２を−Ｙ方向に傾倒させてやれば、突出部Ｐ１及びＰ２と当接部５１８及び５２８との干渉が解除され、プラテンブックカバー２０を本体から容易に取り外すことができる。
【００３０】
このような本体１０とプラテンブックカバー２０との連結によれば、ヒンジの部品点数を削減することができるとともに、プラテンブックカバー２０の取り付け及び取り外しが容易になり、デジタル複合機１の製造や保守に要する時間を短縮することができる。
【図面の簡単な説明】
【００３１】
【図１】本発明の望ましい実施形態に係るデジタル複合機１の本体１０の概略外観構成を図示する斜視図である。
【図２】デジタル複合機１の本体１０の概略外観構成を図示する平面図である。
【図３】デジタル複合機１のプラテンブックカバー２０の概略外観構成を図示する斜視図である。
【図４】ヒンジ３１（３２）の概略外観構成を図示する斜視図である。
【符号の説明】
【００３２】
１  デジタル複合機
１０  本体
２０  プラテンブックカバー
３１，３２  ヒンジ
５１，５１２  取付孔
５１１〜５１４，５２１〜５２２  リブ
Ｐ１，Ｐ２  突出部
５１８，５２８  当接部
【図１】
0004797691.tif 000002
【図２】
0004797691.tif 000003
【図３】
0004797691.tif 000004
【図４】
0004797691.tif 000005